(57)【特許請求の範囲】
【請求項１】
工事現場または建設現場の入口に設置される現場入場者管理のためのタブレット型管理端末を主要素として構成されていて、
このタブレット型管理端末は、
表示手段を兼ねたタッチパネルと、
少なくとも上記工事現場または建設現場への入場が予定される複数の作業員の氏名が記憶されている入退場管理機能部と、
上記工事現場または建設現場での少なくとも安全衛生に関する複数のクイズの問題と正解および問題の解説が記憶されているクイズ出題機能部と、
上記タッチパネルに表示させる表示情報を決定し、決定した表示情報を上記タッチパネルに画面表示する表示制御手段と、
を備えていて、
上記表示制御手段は、
上記入退場管理機能部に記憶されている情報に基づいて、各作業員毎に割り当てられていて且つ入場時のタッチ操作と退場時のタッチ操作とで背景色が切り替わる入場予定者全員の名札部をタッチパネルに画面表示するようになっている一方、
上記いずれか一つの名札部のタッチ操作をもって入場操作が行われた時に、クイズ出題機能部からいずれか一つのクイズの問題を抽出して解答アイコンとともにタッチパネルに画面表示して出題するようになっていて、
さらに、上記解答アイコンのタッチ操作をもって解答があった時に、解答が正解である場合にはクイズの問題の解説を、解答が不正解である場合にはクイズの問題の正解と解説を、それぞれタッチパネルに画面表示するようになっていることを特徴とする現場入場者管理システム。
【請求項２】
上記表示制御手段は、
上記解答アイコンのタッチ操作をもって解答があった時に、解答が正解である場合にはクイズの問題の解説を、解答が不正解である場合にはクイズの問題の正解と解説を、それぞれ確認アイコンとともにタッチパネルに画面表示するようになっていて、
クイズの問題の正解時および不正解時ともに、確認アイコンのタッチ操作をもて初めて入場処理が実行されるようになっていることを特徴とする請求項１に記載の現場入場者管理システム。
【請求項３】
上記表示制御手段は、入場者ｎ人に対して一回の割合で、クイズ出題機能部に記憶されている複数のクイズの問題のうちいずれか一つをランダムに抽出して上記タッチパネルに画面表示して出題するようになっていることを特徴とする請求項２に記載の現場入場者管理システム。
【請求項４】
上記タブレット型管理端末は、作業員に告知すべきお知らせ情報が記憶されているお知らせ機能部を備えている一方、
上記表示制御手段は、名札部のタッチ操作による入場操作が所定時間行われない時に、お知らせ機能部を記憶されているお知らせ情報を抽出して、上記名札部に代えてタッチパネルに画面表示するようになっていることを特徴とする請求項３に記載の現場入場者管理システム。
【発明の詳細な説明】
【技術分野】
【０００１】
本発明は、土木建築等の工事現場あるいは建設現場での作業に携わる作業員の入退場を管理するシステムに関し、特に工事現場あるいは建設現場への入場に際して作業員の安全衛生知識の高揚または再確認を促すことに着目した現場入場者管理システムに関する。
【背景技術】
【０００２】
この種の現場入場者管理システムとして、例えばシールド工事等の地下工事現場へ入坑する作業員（現場作業者）の出入坑を管理するためのものが特許文献１，２にて提案されている。
【０００３】
これらの特許文献１，２に開示された技術では、古くから採用されている表裏反転式名札表示板に代えて、作業員個々の名前表示部に近接して押釦スイッチと表示灯（ランプ）とが設置されていて、押釦スイッチの操作により該当する作業員の名前表示部に近接する表示灯を点灯させるようにしたもので、例えば表示灯の点灯を「入坑」に、表示灯の消灯を「退坑」にそれぞれ割り当てることで、上記表裏反転式名札表示板と同等の機能を発揮させることができるとされている。
【先行技術文献】
【特許文献】
【０００４】
【特許文献１】実開平５−６７７００号公報
【特許文献２】特開平６−２４８９００号公報
【発明の概要】
【発明が解決しようとする課題】
【０００５】
上記特許文献１，２に開示されているような従来の技術と同等の機能を、近時になって多用されつつあり且つ取り扱いが容易なタブレット型の端末で実現しようとする場合、単なる入退場管理だけではタブレット型端末が本来的に有している機能を十二分に活用することができず、なおも改善の余地を残している。
【０００６】
また、業種が異なる複数の建設会社や施工会社の作業員が出入りする現場では、作業員個々の身だしなみや安全装具その他についての安全衛生知識がばらついていたり、あるいはおろそかになっていることがあり、必要な安全衛生知識を十分に習得または体得させるためには、当該安全衛生知識を日常的に繰り返し意識させ、知識の再確認を促すことが有効であるとされている。
【０００７】
本発明はこのような背景のもとになされたものであり、工事現場あるいは建設現場での入退場の管理機能に加えて、入場に際して作業員の安全衛生知識の高揚または再確認を積極的に促すことができるようにした現場入場者管理システムを提供するものである。
【課題を解決するための手段】
【０００８】
本発明は、工事現場または建設現場の入口に設置される現場入場者管理のためのタブレット型管理端末を主要素として構成されていてるものであって、このタブレット型管理端末は、表示手段を兼ねたタッチパネルと、少なくとも上記工事現場または建設現場への入場が予定される複数の作業員の氏名が記憶されている入退場管理機能部と、上記工事現場または建設現場での少なくとも安全衛生に関する複数のクイズの問題と正解および問題の解説が記憶されているクイズ出題機能部と、上記タッチパネルに表示させる表示情報を決定し、決定した表示情報を上記タッチパネルに画面表示する表示制御手段と、を備えている。
【０００９】
そして、上記表示制御手段は、上記入退場管理機能部に記憶されている情報に基づいて、各作業員毎に割り当てられていて且つ入場時のタッチ操作と退場時のタッチ操作とで背景色が切り替わる入場予定者全員の名札部をタッチパネルに画面表示するようになっている。
【００１０】
また、上記いずれか一つの名札部のタッチ操作をもって入場操作が行われた時に、クイズ出題機能部からいずれか一つのクイズの問題を抽出して解答アイコンとともにタッチパネルに画面表示して出題するようになっている。
【００１１】
さらに、上記解答アイコンのタッチ操作をもって解答があった時に、解答が正解である場合にはクイズの問題の解説を、解答が不正解である場合にはクイズの問題の正解と解説を、それぞれタッチパネルに画面表示するようになっている。
【００１２】
上記タブレット型管理端末としては、例えば汎用のタブレット型パーソナルコンピュータを用いるものとし、また、上記クイズの出題は、名札部のタッチ操作をもって入場操作が行われた時にその都度行っても良いが、マンネリ化を回避しつつ意外性を担保するためには、出題率を０〜１００％の間で任意に設定可能とし、例えば出題率を２０％に設定して、５人に一回の割合で出題するようにすることが望ましい。
【発明の効果】
【００１３】
本発明によれば、タブレット型管理端末が本来的に有している機能を有効活用して、名札部のタッチ操作をもって入場操作が行われた時に、現場での安全衛生に関するクイズを出題するようにしたので、入退場者管理に加えて、現場作業員の安全衛生知識の高揚または再確認を積極的に促すことができるから、現場作業員個々の安全衛生知識の習得または体得に、ひいては作業現場の安全性向上に大きく寄与することができる。
【図面の簡単な説明】
【００１４】
【図１】本発明に係る現場入場者管理システムの具体的な実施の形態を示す図で、タブレット型管理端末が設置される建設現場の概略的なイメージ図。
【図２】図１に示したタブレット型管理端末を拡大した画面イメージ図。
【図３】タブレット型管理端末の概略的な機能ブロック図。
【図４】クイズ出題時の表示画面のイメージ図。
【図５】クイズ解答後の表示画面の一例を示し、（Ａ）はクイズ正解時の表示画面のイメージ図、（Ｂ）はクイズ不正解時の表示画面のイメージ図。
【図６】お知らせ表示画面のイメージ図。
【図７】当たり表示画面のイメージ図。
【図８】シュプレヒコール抽選結果の表示画面のイメージ図。
【図９】誕生日お祝い表示画面のイメージ図。
【図１０】タブレット型管理端末における入退場管理機能部およびクイズ出題機能部での一連の手順を示すフローチャート。
【図１１】本発明に係る現場入場者管理システムの他の実施の形態を示す機能説明図。
【発明を実施するための形態】
【００１５】
図１〜１０は本発明に係る現場入場者管理システムを実施するためのより具体的な形態を示し、特に図１はタブレット型管理端末２が設置される建設現場のイメージ図を、図２はタブレット型管理端末２の画面イメージ図をそれぞれ示している。
【００１６】
図１に示すように、例えば安全柵で囲まれた建設現場の入口に近接する現場事務所１の内部または外壁にタブレット型管理端末（以下、単に「管理端末」と言う。）２が設置される。この管理端末２は、後述するように汎用のタブレット型パーソナルコンピュータをもって構成されているものであり、図２に示すように、管理端末２のタッチパネル３には、建設現場への入場が想定される作業員（現場作業者）の個々の氏名が付された名札部４，４‥が画面表示される。そして、建設現場での作業員が入場および退場する際に、作業員本人がタッチパネル３における自分の名札部４をその都度タッチ操作することになる。
【００１７】
なお、管理端末２は現場事務所１内にある図示外のホストコンピュータと無線ＬＡＮ等の通信手段を介して接続されていて、主記憶部であるデータベースを互いに共有している。また、管理端末２が現場事務所１の外壁に設置される場合には、管理端末２が風雨や直射日光から保護される環境下に置かれていることは言うまでもない。
【００１８】
図３は管理端末２の概略的な機能ブロック図を示している。この管理端末２は、大別して、表示パネルを兼ねたタッチパネル３のほか、出力制御部５と、これらのタッチパネル３と出力制御部５との間での入出力制御（主制御）を司る制御機能部６と、を有している。そして、これらのタッチパネル３と出力制御部５および制御機能部６を含む管理端末２は、ＣＰＵ、ＲＯＭ、ＲＡＭおよびメモリ等を主要素として、必要なソフトウエアがインストールされた汎用のタブレット型パーソナルコンピュータをもって構成される。また、出力制御部５は、後述するように、制御機能部６からの情報を受けてタッチパネル３に表示させる画像情報（表示情報）を決定し、決定した画像情報をタッチパネル３に画面表示する表示制御手段として機能する。
【００１９】
管理端末２の制御機能部６は、入退場管理機能のほか、クイズ出題機能とお知らせ機能、当たり機能、シュプレヒコール抽選機能および誕生日お祝い機能、等を有する。
【００２０】
入退場管理機能とは、タッチパネル３の画面おける名札部４，４‥でのタッチ操作により、現場での作業に関与する作業員の当該現場への出勤に際しての入場と、退勤に際しての退場と、を管理する機能であって、いわゆるタイムスタンプ機能により入退場時刻を記録する機能をも含むものである。
【００２１】
クイズ出題機能とは、タッチパネル３の画面における名札部４，４‥のタッチ操作により入場操作を行った作業員に対して、建設現場での工事に携わる者としての安全衛生に関する知識の高揚または再確認を積極的に促すことを目的として、タッチパネル３上で安全衛生に関するクイズを画面表示にて出題する機能である。
【００２２】
お知らせ機能とは、例えばタッチパネル３の画面における名札部４，４‥が所定時間タッチ操作されない場合に、そのタッチパネル３の表示機能を有効利用して、作業員に広く告知すべき事項、例えば現場でのルール、スローガン等を画面表示する機能である。
【００２３】
当たり機能とは、タッチパネル３を利用して、入場時に例えばドリンク券や粗品プレゼントのような「当たり」画面を表示する機能である。
【００２４】
シュプレヒコール抽選機能とは、既に入場している作業員のなかから無作為に一名を抽選して氏名をタッチパネル３に画面表示する機能である。例えば、現場での朝礼の際に号令をかける者を決める場合などに使用する。
【００２５】
誕生日お祝い機能とは、タッチパネル３で入場操作した際に、その日が作業員の誕生日に該当すると、誕生日のお祝いのメッセージをタッチパネル３に画面表示する機能である。
【００２６】
そして、上記の各機能は、タッチパネル３の画面における名札部４，４‥のタッチ操作に基づいて、図３に示した制御機能部６の入退場管理機能部７と、クイズ出題機能部８、お知らせ機能部９、当たり機能部１０、シュプレヒコール抽選機能部１１、および誕生日お祝い機能部１２等によって実行される。
【００２７】
なお、図３では図示省略しているが、制御機能部６には、上記の個別的な各機能部７〜１２に加えて、カレンダー機能やタイマー機能、さらには有線または無線ＬＡＮ等による外部との通信機能も備えている。また、制御機能部６内の個別的な各機能部７〜１２にはそれぞれに記憶部が付帯している。
【００２８】
図３の入退場管理機能部７には、現場への入場が想定される複数の作業員の所属会社名、氏名、生年月日等の個人情報を含むいわゆる作業員名簿が予め入力されて記憶されている。同時に、図２に示した表示画面での背景画像となる名札部４，４‥の画像情報も予め記憶されている。そして、名札情報の画面表示指示があった時には、図２に示すように、現場への入場が想定される複数の作業員の氏名が名札部４，４‥の画像を背景画像として画像表示されるようになっている。
【００２９】
また、図２に示すように、名札部４，４‥の画面には、それぞれの作業員が所属する複数の会社名アイコン１３と、一括表示アイコン１４および入場者のみアイコン１５等が用意されている。そして、入場処理を行う作業員は、最初に複数の会社名アイコン１３，１３‥のうち自分の所属する会社名アイコン１３をタッチ操作する。会社名アイコン１３をタッチ操作すると、その会社に所属する全員の作業員の氏名が名札部４，４‥をもって画面表示される。この時点での各名札部４，４‥の色（名札氏名の背景色）は例えば白色とする。
【００３０】
その上で、作業員が自分の名札部４をタッチ操作すると、当該名札部４がそれまでの白色から例えば赤色に切り替わり（以下、この色の切り換えを「名札氏名の背景色の反転」と言う。）、これをもって、タッチ操作を行った作業員は入場処理が正しく行われたことを認識できることになる。つまり、自分の名札部４をタッチ操作しただけでは正規の入場処理とは認識されず、名札氏名の背景色の反転をもって初めて入場処理が正しく行われたことになる。なお、終業後の退場に際しては、作業員が赤色表示されている名札部４をタッチ操作すると、それまでの赤色から白色へと名札氏名の背景色が反転することになる。なお、名札氏名の背景色の組み合わせは、白色と赤色との組み合わせに限らず、必要に応じて任意の色の組み合わせが可能であることは言うまでもない。
【００３１】
また、図２の名札部４，４‥の画面における一括表示アイコン１４をタッチ操作した場合には、全ての作業員の名札部４，４‥、すなわち会社名アイコン１３，１３‥に表示されている全ての会社に所属する全ての作業員の名札部４，４‥が一括表示され、入場者のみアイコン１５をタッチ操作した場合には、入場処理を行った作業員のみの名札部４，４‥が表示される。
【００３２】
図３のクイズ出題機能部８には、現場での安全衛生事項に関して予め作成してある複数のクイズの問題と正解のほか、問題に関する解説が背景画像とともにクイズ情報として予め記憶されている。このクイズ出題機能部８には、クイズ出題指示があった場合に、いずれか一つのクイズの問題をランダムに抽出して出力するランダム抽出機能部が含まれていて、名札部４，４‥のタッチ操作を行った作業員に対して、例えば図４のような画面表示をもって現場での安全衛生に関するクイズを出題することになる。クイズの出題の解答は同図に示すように例えば四者択一形式とし、四つの解答例ごとに解答アイコン１６が用意されていて、出題された作業員はいずれか一つの解答アイコン１６のタッチ操作をもって解答することになる。
【００３３】
クイズの出題に対する解答の正誤の表示画面は図５のとおりである。クイズの解答が正解の場合には、例えば図５の（Ａ）に示すように、その表示画面にクイズの問題の解説と確認アイコン１７が表示される。その一方、クイズの解答が不正解の場合には、例えば同図（Ｂ）に示すように、その表示画面にクイズの正解とクイズの問題の解説および確認アイコン１８が表示される。そして、クイズの解答が正解であるか不正解であるかにかかわらず、図５（Ａ），（Ｂ）の確認アイコン１７または１８をタッチ操作することで図２の名札部４，４‥の表示画面に戻り、この時点で初めて先にタッチ操作した名札部４の色が白色から赤色へと名札氏名の背景色が反転して、入場処理が正しく行われたことになる。
【００３４】
なお、図３の制御機能部６またはそれよりも下位のクイズ出題機能部８には出題率の設定・変更機能部が含まれている。クイズの出題は、名札部４，４‥でのタッチ操作を行った作業員全員に対して行っても良いが、入場する作業員が複数いる場合には後続の作業員を待たせることになるほか、クイズの出題に対するマンネリ化を回避しつつ意外性を担保するためには、例えば複数人に一人の割合でクイズを出題することが望ましい。そこで、出題率の設定・変更機能部ではクイズの出題率を０〜１００％の間で任意に設定できるものとし、入場が想定される作業員の総人数にもよるが、例えば入場する作業員５人に一人の割合で出題する場合には、出題率を２０％に設定するものとする。
【００３５】
図３のお知らせ機能部９には、作業員に広く告知すべく予め作成した例えば現場でのルール、周知事項あるいはスローガン等の複数のお知らせ情報が背景画像とともにお知らせ情報として予め記憶されている。例えば図２に示した名札部４，４‥の表示画面が予め設定した所定時間が経過してもタッチ操作されない時には、図６に示したようなお知らせ情報の表示画面に切り換えるものとする。このお知らせ情報は、例えば図６の（Ａ）のような「建退協」の案内や同図（Ｂ）のような現場内での車両の制限速度の案内、さらには同図（Ｃ）のような労働衛生に関するスローガン等である。このように複数のお知らせ情報が用意されている場合には、所定時間間隔で図６の（Ａ）〜（Ｃ）までのお知らせ情報の画面が順次切り替えられる。
【００３６】
なお、上記「建退協」とは、「雇用している労働者に対して働いた日数分の証紙（掛金）を決済手帳に貼ることによって、退職金の掛金が加算されていき、その労働者が退職金を請求した際に、建設業退職金共済事業本部より退職金が支給される」という建設業の就労の実体に即した退職金制度を言う。
【００３７】
図３の当たり機能部１０の機能としては、先に述べたように、入場時にドリンク券や粗品プレゼントのような「当たり」画面を表示する機能であって、当たり機能部１０では、少なくとも最初の作業員が入場する時間までに入退場管理機能部７の作業員名簿と照合して、現場への入場が想定される複数の作業員のなかから一日につき一名が「当選者」として無作為に選ばれて特定されていて、「当選者」の氏名とともに表示すべき当たりのお祝いメッセージが当たり表示情報として背景画像とともに予め記憶されている。なお、当選確率は一日につき一名にかぎらず、先に述べた出題率の設定・変更機能と同様に、当選確率は任意に設定可能である。
【００３８】
この当たり機能部１０の機能によって表示される表示画面は、例えば図７に示すとおりであって、名札部４，４‥でのタッチ操作を行った際に所定時間だけ図７の表示画面が表示され、その後に該当する名札部４の色が白色から赤色へと名札氏名の背景色が反転して、入場処理が正しく行われることになる。
【００３９】
シュプレヒコール抽選機能部１１の機能としては、先に述べたように、既に入場している作業員、つまり入場処理が正しく行われた作業員のなかから無作為に一名を抽選して氏名をタッチパネル３に画面表示する機能であって、例えば現場での朝礼の際に号令をかける作業員を決める時などに使用する。このシュプレヒコール抽選機能部１１では、シュプレヒコール抽選結果のための図８のような背景画像が予め記憶されていて、例えば図２の上段のいずれかのアイコンをタッチ操作することにより現れる抽選ボタンをタッチ操作し、入場処理が正しく行われた作業員のなかから無作為に一名を抽選して、例えば図８に示すように当選した作業員の氏名を同図の背景画像とともにタッチパネル３に表示することになる。
【００４０】
誕生日お祝い機能部１２の機能としては、先に述べたように、タッチパネル３における名札部４，４‥のタッチ操作を行った際に、その日が作業員の誕生日に該当すると、誕生日のお祝いのメッセージをタッチパネル３に画面表示する機能である。この誕生日お祝い機能部１２では、少なくとも最初の作業員が入場する時間までに上記入退場管理機能部７の作業員名簿と照合して、現場への入場が想定される複数の作業員のなかからその日が誕生日に該当する者がいるか否か、および、その日が誕生日に該当する作業員がいる場合には当該作業員の氏名が予め特定されているとともに、例えば図９のようなお祝いメッセージが当たり表示情報として背景画像とともに予め記憶されている。
【００４１】
そして、該当する作業員がタッチパネル３の名札部４のタッチ操作をもって入場処理を行った際に、所定時間だけ図９の表示画面が表示され、その後に該当する名札部４の色が白色から赤色へと名札氏名の背景色が反転して、入場処理が正しく行われることになる。
【００４２】
以上のように構成された管理端末２の制御機能部６のうち、入退場管理機能部７およびクイズ出題機能部８での一連の手順をフローチャートにしたものを図１０に示している。
【００４３】
図１０に示すように、管理端末２のシステム起動状態において、建設現場に入場する作業員は、図２のタッチパネル３上で自分の所属する会社名アイコン１３をタッチ操作した上で（ステップＳ１）、複数の名札部４，４‥のうち自分の名札部４をタッチ操作する（ステップＳ２）。
【００４４】
より詳しくは、図示を省略しているが、自分の名札部４をタッチ操作すると、例えば「入場しますか」等の確認表示とともに「はい」，「いいえ」等の確認アイコンが表示され、「はい」をタッチ操作すると、初めて先の名札部４をタッチ操作が確定し、「いいえ」をタッチ操作すると、先の名札部４をタッチ操作がキャンセルされることになる。
【００４５】
次のステップＳ３では、名札部４のタッチ操作を行った作業員がクイズの出題対象者として割り当てられているか否かが判定され、クイズの出題対象者として割り当てられている場合には次のステップＳ４に移行し、クイズの出題対象者として割り当てられていない場合にはステップＳ７に移行する。なお、クイズの出題対象者として割り当てられている場合には、先の自分の名札部４をタッチ操作しただけでは入場処理が確定しない。
【００４６】
ステップＳ４では、図４のような画面表示をもって安全衛生上の知識に関する問題がクイズとして出題され、同時に四者択一の解答アイコン１６が表示される。そして、出題された作業員は、四つの解答アイコン１６のうちいずれか一つのタッチ操作をもって解答することになる。
【００４７】
続くステップＳ５では、クイズの問題に対する解答の正誤判定が行われ、次のステップＳ６において、正解の場合には図５の（Ａ）のような表示画面が、不正解の場合には図５の（Ｂ）のような表示画面がそれぞれ表示される。
【００４８】
図５の（Ａ）の正解の表示画面では、クイズの問題に関する解説と確認アイコン１７が表示され、確認アイコン１７をタッチ操作することで初めて次のステップＳ７に移行する。同様に、図５の（Ｂ）の不正解の表示画面では、クイズの問題の正解とクイズの問題に関する解説および確認アイコン１８が表示され、確認アイコン１８をタッチ操作することで同様に初めて次のステップＳ７に移行する。
【００４９】
ステップＳ７では、図５の（Ａ）の正解の表示画面の確認アイコン１７をタッチ操作した場合、および図５の（Ｂ）の不正解の表示画面の確認アイコン１８をタッチ操作した場合に、初めて先の名札部４のタッチ操作による入場処理が確定したことになり、それによって名札部４の色が白色から赤色へと名札氏名の背景色が反転して、入場処理が正しく行われることになる。その後、次のステップＳ８に移行する。
【００５０】
その一方、図１０のステップＳ３において、名札部４のタッチ操作を行った作業員がクイズの出題対象者として割り当てられていない場合には、直ちにステップＳ７に移行して、名札部４の色が白色から赤色へと名札氏名の背景色が反転することで、入場処理が正しく行われることになる。その後、次のステップＳ８に移行する。
【００５１】
そして、ステップＳ７での処理の後、ステップＳ２でのタッチパネル３における名札部４のタッチ操作、すなわち、その名札部４のタッチ操作に基づくステップＳ７の名札氏名の背景色の反転が、予め設定してある所定時間を経過しても行われない場合には、次のステップＳ８において、図２のような名札部４，４‥の表示画面から図６のようなお知らせ画面表示に切り替えられることになる。
【００５２】
また、建設現場からの退場処理に際しては、図１０のステップＳ９およびＳ１０において、入場時と同様に、作業員は図２のタッチパネル３上で自分の所属する会社名アイコン１３をタッチ操作した上で、自分の名札部４をタッチ操作する。これにより、次のステップＳ１１において、名札部４の色が白色から赤色へと名札氏名の背景色が反転して、退場処理が正しく行われたことになる。その後、次のステップＳ８に移行することになる。なお、このステップＳ１１の処理は、先のステップＳ７での処理と全く同様である。
【００５３】
このように本実施の形態によれば、管理端末２が本来的に有している機能を有効活用して、名札部４，４‥のタッチ操作をもって入場処理が行われた時に、現場での安全衛生知識に関するクイズを出題するようにしたものである。そのため、現場での入退場者管理に加えて、現場作業員の安全衛生知識の高揚または再確認を積極的に促すことができて、現場作業員個々の安全衛生知識の習得または体得に、ひいては作業現場の安全性向上に大きく寄与することができることになる。
【００５４】
ここで、上記実施の形態では、図２に示すように管理端末２が一台である場合について説明したが、本発明は必ずしもこの形態のものに限定されない。例えば図１１に示すように、複数の出入口がある場合に当該出入口に個別に管理端末２，２‥を設置し、これらの複数の管理端末２，２‥と図１に示した現場事務所１側のサーバーとして機能するホストコンピュータ２０との間でネットワークハブ２１や無線アクセスポイント２２を介して無線ＬＡＮ（ローカル・エリア・ネットワーク）システムを構築にすることで、現場事務所１や複数の出入口での入退場管理も可能である。つまり、入場した出入口と違う出入口から退場する場合等の使い方を可能である。
【００５５】
また、入退場時のデータをもとに帳票を出力するようにすれば、紙ベースの出勤簿に比べて労務管理に要する手間とコストを削減することが可能となるほか、必要に応じて、クイズの問題の出題に関して、各作業員ごとの出題履歴や正答率を帳票として出力することも可能である。
【符号の説明】
【００５６】
２…タブレット型管理端末
３…タッチパネル
４…名札部
５…出力制御部（表示制御手段）
６…制御機能部
７…入退場管理機能部
８…クイズ出題機能部
【要約】
【課題】現場での入退場管理機能に加えて、作業員の安全衛生知識の高揚または再確認を促すことができる現場入場者管理システムを提供する。
【解決手段】タブレット型管理端末２は、表示手段を兼ねたタッチパネル３と、出力制御部５と、入退場管理機能部７と、クイズ出題機能部８と、を備えている。上記出力制御部５は、入場予定の作業員の名札部をタッチパネル３に画面表示するようになっている一方、画面上で名札部のタッチ操作が行われた時に、安全衛生知識に関するクイズの問題をタッチパネル３に画面表示する。クイズの解答が正解である場合にはその問題の解説を、解答が不正解である場合にはクイズの問題の正解と解説を、それぞれタッチパネル３に画面表示する。
【選択図】図３【図１】
0006019452.tif 000002
【図２】
0006019452.tif 000003
【図３】
0006019452.tif 000004
【図４】
0006019452.tif 000005
【図５】
0006019452.tif 000006
【図６】
0006019452.tif 000007
【図７】
0006019452.tif 000008
【図８】
0006019452.tif 000009
【図９】
0006019452.tif 000010
【図１０】
0006019452.tif 000011
【図１１】
0006019452.tif 000012